(57)【要約】【課題】太さの異なる複数の釣り糸に適用されうるスプール２の提供。【解決手段】スプール２は、ハブ６、胴８、リブ部１０及び一対のフランジ１２を備えている。リブ部１０は、第一リブ１６ａ、第二リブ１６ｂ、第三リブ１６ｃ、第四リブ１６ｄ、第五リブ１６ｅ及び第六リブ１６ｆからなる。これらのリブ１６は、半径方向に延在している。リブ１６は、ハブ６の外周面から胴８の内周面に至っている。第二リブ１６ｂは、第一スリット２０ａ、第二スリット２０ｂ及び第三スリット２０ｃを備えている。第二スリット２０ｂの幅は、第一スリット２０ａの幅よりも大きい。第三スリット２０ｃの幅は、第二スリット２０ｂの幅よりも大きい。フランジ１２の段差１８から引き出された釣り糸は、いずれかのスリット２０に通される。糸の太さに応じ、適切なスリット２０が選択される。【選択図】図１
2008011762.tif 000002
【特許請求の範囲】
【請求項１】
円筒状の胴、この胴の内側に位置するリブ部及びこの胴を挟む一対の円盤状フランジを備えており、
このリブ部が、互いに幅の異なる複数のスリットを備えている釣り糸用スプール。
【請求項２】
上記胴の内側に位置しかつこの胴と同心状に配置されたハブをさらに備えており、
上記リブ部が、半径方向に延在しハブから胴に至る複数のリブからなり、１又はそれ以上のリブにスリットが形成されている請求項１に記載のスプール。
【請求項３】
上記スリットを備えたリブとこれに隣接する他のリブとのなす中心角度が６０°以上である請求項２に記載のスプール。
【請求項４】
上記フランジが、釣り糸が引き出されるための段差を備えており、
中心点からこの段差に向かう方向とのなす角度が４５°以上９０°以下である方向に延在するリブに上記スリットが形成されている請求項２又は３に記載のスプール。
【請求項５】
上記段差からスリットに至る釣り糸が、このスリットを備えているリブ以外のリブと交差しないようにリブ部が構成されている請求項４に記載のスプール。
【請求項６】
上記スリットの幅方向が、スリットの深さ方向に沿って漸次変化する請求項１に記載のスプール。
【発明の詳細な説明】
【技術分野】
【０００１】
本発明は、釣り糸が巻かれるためのスプールに関する。
【背景技術】
【０００２】
釣り糸は、スプールに巻かれて出荷され、流通する。糸を購入した釣り人は、このスプールからリールに糸を巻き替えて使用する。釣り人がスプールを釣り場まで携帯し、この釣り場でスプールから糸が取り出されることもある。スプールは通常、合成樹脂から成形されている。このスプールは、ハブ、複数のリブ、胴及び一対のフランジを備えている。糸は、胴に巻かれる。フランジは、釣り糸のばらけを防ぐ。
【０００３】
スプールは、フランジ又はリブに形成されたスリットを備えている。このスリットには、糸の端部が通される。スリットに通されることにより、糸は若干の圧縮変形を起こす。この変形の復元力により、糸とスリットとの間には大きな摩擦力が働く。この摩擦力により、糸がスリットに固定される。フランジにスリットが形成されたスプールが、特開２０００−３７１５５公報に開示されている。
【０００４】
ターゲットとなる魚のサイズ、魚種、釣り場の状況、潮の速度等に応じ、釣り人は適切な太さの釣り糸を使用する。メーカーは種々の太さの糸を製造し、スプールに巻いて出荷している。
【特許文献１】特開２０００−３７１５５公報
【発明の開示】
【発明が解決しようとする課題】
【０００５】
その幅が狭いスリットには、太い糸は通らない。一方、その幅が広いスリットに細い糸が通されても、摩擦力が発生せず、糸がスリットから脱抜する。糸の太さに適した幅のスリットが形成される必要がある。メーカーは、糸の太さに応じ、スリットの幅が互いに異なる複数種のスプールを準備している。複数種のスプールの準備は、メーカーにとって煩わしい。複数種のスプールの準備は、コストを押し上げる。
【０００６】
本発明の目的は、太さの異なる複数の釣り糸に適用されうるスプールの提供にある。
【課題を解決するための手段】
【０００７】
本発明に係る釣り糸用スプールは、
（１）円筒状の胴、
（２）この胴の内側に位置するリブ部
及び
（３）この胴を挟む一対の円盤状フランジ
を備える。このリブ部は、互いに幅の異なる複数のスリットを備える。
【０００８】
好ましくは、このスプールは、胴の内側に位置しかつこの胴と同心状に配置されたハブをさらに備える。上記リブ部は、半径方向に延在しハブから胴に至る複数のリブからなる。１又はそれ以上のリブに、スリットが形成される。好ましくは、スリットを備えたリブとこれに隣接する他のリブとのなす中心角度は、６０°以上である。
【０００９】
好ましくは、フランジは、釣り糸が引き出されるための段差を備える。中心点からこの段差に向かう方向とのなす角度が４５°以上９０°以下である方向に延在するリブに、上記スリットが形成される。好ましくは、段差からスリットに至る釣り糸がこのスリットを備えているリブ以外のリブと交差しないように、リブ部が構成される。
【００１０】
好ましくは、スリットの幅方向は、スリットの深さ方向に沿って漸次変化する。
【発明の効果】
【００１１】
本発明に係るスプールでは、リブ部が、互いに幅の異なる複数のスリットを備えている。従って、１つのスプールが、太さの異なる複数の釣り糸に適用されうる。
【発明を実施するための最良の形態】
【００１２】
以下、適宜図面が参照されつつ、好ましい実施形態に基づいて本発明が詳細に説明される。
【００１３】
図１は、本発明の一実施形態に係る釣り糸用スプール２が示された斜視図である。図２は、図１のスプール２が釣り糸４と共に示された正面図である。このスプール２は、ハブ６、胴８、リブ部１０及び一対のフランジ１２を備えている。このスプール２は、合成樹脂からなる。ハブ６、胴８、リブ部１０及び一対のフランジ１２は、一体成形により得られる。
【００１４】
ハブ６は、スプール２の中心に位置している。ハブ６は、円筒状である。糸４がスプール２に巻かれるとき、ハブ６には巻き取り装置の芯が通される。ハブ６はキー溝１４を備えている。このキー溝１４により、芯とハブ６とのスリップが防止される。
【００１５】
胴８は、円筒状である。この胴８の内側に、ハブ６及びリブ部１０が位置している。胴８とハブ６とは、同心状に配置されている。この胴８の外周面に、糸４が巻かれる。
【００１６】
リブ部１０は、６本のリブ１６から構成されている。具体的には、リブ部１０は、第一リブ１６ａ、第二リブ１６ｂ、第三リブ１６ｃ、第四リブ１６ｄ、第五リブ１６ｅ及び第六リブ１６ｆからなる。リブ１６は、半径方向に延在している。リブ１６は、ハブ６の外周面から胴８の内周面に至っている。６個のリブ１６が、等間隔で配置されている。従って、１つのリブ１６と、このリブ１６と隣接する他のリブ１６とのなす中心角度は、６０°である。複数のリブ１６が、非等間隔に配置されてもよい。
【００１７】
リブ１６の数は、６には限られない。リブ１６の数が３であり、かつ等間隔にリブ１６が配置されたとき、中心角度は１２０°である。リブ１６の数が４であり、かつ等間隔にリブ１６が配置されたとき、中心角度は９０°である。リブ１６の数が５であり、かつ等間隔にリブ１６が配置されたとき、中心角度は７２°である。
【００１８】
フランジ１２は、円盤状である。２つのフランジ１２により、胴８が挟まれている。フランジ１２により、胴８に巻かれた糸４のばらけが防止される。フランジ１２は、段差１８を備えている。図２に示されるように、胴８に巻かれた糸４は、この段差１８から引き出される。
【００１９】
図３は、図１のスプール２の第二リブ１６ｂが示された拡大図である。この第二リブ１６ｂは、第一スリット２０ａ、第二スリット２０ｂ及び第三スリット２０ｃを備えている。このスリット２０は、第二リブ１６ｂの上端から下方に向かって形成されている。スリット２０の幅は、深さ方向（図３の下方向）に沿って漸次減少している。図３において、矢印Ｗａで示されているのは第一スリット２０ａの間口の幅であり、矢印Ｗｂで示されているのは第二スリット２０ｂの間口の幅であり、矢印Ｗｃで示されているのは第三スリット２０ｃの間口の幅である。幅Ｗｂは、幅Ｗａよりも大きい。幅Ｗｃは、幅Ｗｂよりも大きい。このスプール２は、互いに幅の異なる３つのスリット２０を備えている。スリット２０の数は、２でもよい。４以上のスリット２０が形成されてもよい。
【００２０】
図３において、第一スリット２０ａには細い釣り糸４ａが通されている。この糸４ａは第一スリット２０ａに挟まれて、若干の圧縮変形を起こしている。糸４ａと第一スリット２０ａとの摩擦力により、糸４ａは第一スリット２０ａに固定されている。
【００２１】
図３において、第二スリット２０ｂには太い釣り糸４ｂが通されている。この糸４ｂは第二スリット２０ｂに挟まれて、若干の圧縮変形を起こしている。糸４ｂと第二スリット２０ｂとの摩擦力により、糸４ｂは第二スリット２０ｂに固定されている。この糸４ｂは太いので、第一スリット２０ａには通され得ない。第一スリット２０ａに通されている糸４ａが第二スリット２０ｂに通された場合、糸４ａが圧縮変形を起こさないので、この糸４ａは第二スリット２０ｂから脱抜する。
【００２２】
図３において、第三スリット２０ｃには極めて太い糸４ｃが通されている。この糸４ｃは第三スリット２０ｃに挟まれて、若干の圧縮変形を起こしている。糸４ｃと第三スリット２０ｃとの摩擦力により、糸４ｃは第二スリット２０ｃに固定されている。この糸４ｃは極めて太いので、第二スリット２０ｂには通され得ない。第二スリット２０ｂに通されている糸４ｂが第三スリット２０ｃに通された場合、糸４ｂが圧縮変形を起こさないので、この糸４ｂは第二スリット２０ｃから脱抜する。
【００２３】
細い糸４ａの係止には、第一スリット２０ａが適している。太い糸４ｂの係止には、第二スリット２０ｂが適している。極めて太い糸４ｃの係止には、第三スリット２０ｃが適している。図３では、説明の便宜上、３本の糸４が示されている。実際は、スプール２には１本の糸４が巻かれるので、３つのスリット２０の内のいずれか１つに糸４が通される。糸４の太さに応じ、適切なスリット２０が選択される。図２の例では、第二スリット２０ｂに糸４が通されている。
【００２４】
このスプール２には、太さの異なる種々の糸４が巻き付けられうる。糸４のメーカーは、１種のスプール２を準備することで、多数の糸４を出荷できる。多種のスプール２が準備される必要がない。
【００２５】
スリット２０に糸４が通されるとき、釣り人は、第一リブ１６ａと第二リブ１６ｂとの間に指を入れる。釣り人はさらに、第二リブ１６ｂと第三リブ１６ｃとの間にも指を入れる。糸４が通されやすいとの観点から、第一リブ１６ａと第二リブ１６ｂとの間及び第二リブ１６ｂと第三リブ１６ｃとの間に、スプール２が十分なスペースを有することが好ましい。具体的には、第一リブ１６ａと第二リブ１６ｂとのなす中心角度α（図２参照）及び第二リブ１６ｂと第三リブ１６ｃとのなす中心角度βは、６０°以上が好ましく、７２°以上がより好ましく、９０°以上が特に好ましい。中心角度α、βは、１２０°以下が好ましい。図２の例では、中心角度αは６０°であり、中心角度βは６０°である。
【００２６】
図２において、符号Ｌ１で示されているのは中心点Ｏから段差１８に向かう線であり、符号Ｌ２で示されているのは中心点Ｏを起点とした場合の第二リブ１６ｂ（すなわちスリット２０を有するリブ１６）の延在方向を示す線である。符合θで表されているのは、線Ｌ１と線Ｌ２とのなす角度である。スリット２０に糸４が通されやすいとの観点から、θは４５°以上９０°以下が好ましい。
【００２７】
図２から明らかなように、段差１８からスリット２０に至る糸４は、第二リブ１６ｂ以外のリブ１６とは交差していない。このリブ部１０では、糸４がスリット２０に通されやすい。
【００２８】
１つのリブ１６に第一スリット２０が形成され、他のリブ１６に第二スリット２０又は第三スリット２０が形成されてもよい。
【００２９】
図４は、本発明の他の実施形態に係る釣り糸用スプール２２の一部が示された正面図である。この図４には、第二リブ２４が示されている。このスプール２２の第二リブ２４以外の構成は、図１から３に示されたスプール２のそれと同等である。
【００３０】
この第二リブ２４は、第一スリット２６ａ、第二スリット２６ｂ及び第三スリット２６ｃを備えている。このスリット２６は、第二リブ２４の上端から下方に向かって延在している。スリット２６の幅は、深さ方向において、ほぼ一定である。図４において、矢印Ｗａで示されているのは第一スリット２６ａの幅であり、矢印Ｗｂで示されているのは第二スリット２６ｂの幅であり、矢印Ｗｃで示されているのは第三スリット２６ｃの幅である。幅Ｗｂは、幅Ｗａよりも大きい。幅Ｗｃは、幅Ｗｂよりも大きい。このスプール２２は、互いに幅の異なる３つのスリット２６を備えている。
【００３１】
図４には、細い糸４ａ、太い糸４ｂ及び極めて太い糸４ｃも示されている。第一スリット２６ａは、細い糸４ａに適している。第二スリット２６ｂは、太い糸４ｂに適している。第三スリット２６ｃは、極めて太い糸４ｃに適している。図４では、説明の便宜上、３本の糸４が示されている。実際は、スプール２２には１本の糸４が巻かれるので、３つのスリット２６の内のいずれか１つに糸４が通される。糸４の太さに応じ、適切なスリット２６が選択される。このスプール２２は、複数種の糸４に適用されうる。
【００３２】
図５は、本発明のさらに他の実施形態に係る釣り糸用スプール２８の一部が示された正面図である。この図５には、第二リブ３０が示されている。このスプール２８の第二リブ３０以外の構成は、図１から３に示されたスプール２のそれと同等である。
【００３３】
この第二リブ３０は、第一スリット３２ａ、第二スリット３２ｂ及び第三スリット３２ｃを備えている。図５において、矢印Ｗａで示されているのは第一スリット３２ａの間口の幅であり、矢印Ｗｂで示されているのは第二スリット３２ｂの間口の幅であり、矢印Ｗｃで示されているのは第三スリット３２ｃの間口の幅である。幅Ｗｂは、幅Ｗａよりも大きい。幅Ｗｃは、幅Ｗｂよりも大きい。このスプール２８は、互いに幅の異なる３つのスリット３２を備えている。第一スリット３２ａは、細い糸４（図２参照）に適している。第二スリット３２ｂは、太い糸４に適している。第三スリット３２ｃは、極めて太い糸４に適している。このスプール２８は、複数種の糸４に適用されうる。
【００３４】
図６は、図５のスプール２８の一部が示された拡大図である。この図６には、第二スリット３２ｂの近傍が示されている。図７（ａ）は図６のＡ−Ａ線に沿った断面図であり、図７（ｂ）は図６のＢ−Ｂ線に沿った断面図であり、図７（ｃ）は図６のＣ−Ｃ線に沿った断面図である。図６及び図７には、符号Ｐ１からＰ４により、コーナーが示されている。
【００３５】
図７（ａ）から（ｃ）の対比から明らかなように、図７（ｂ）に示された幅Ｗは図７（ａ）に示された幅Ｗよりも狭く、図７（ｃ）に示された幅Ｗは図７（ｂ）に示された幅Ｗよりも狭い。幅Ｗは、深さ方向（図６の下方向）に沿って漸次減少している。
【００３６】
図７における左右方向は、第二リブ３０の延在方向である。図７（ａ）では、第二スリット３２ｂの幅方向（すなわち矢印Ｗの方向）は、第二リブ３０の延在方向とほぼ一致している。図７（ｂ）では、第二スリット３２ｂの幅方向（すなわち矢印Ｗの方向）は、第二リブ３０の延在方向に対して傾斜している。図７（ｃ）では、第二スリット３２ｂの幅方向（すなわち矢印Ｗの方向）は、第二リブ３０の延在方向に対して大幅に傾斜している。この第二スリット３２ｂでは、幅方向は、深さ方向に沿って時計回りに漸次変化している。図示されていないが、第一スリット３２ａ及び第三スリット３２ｃでも、その幅方向は、深さ方向に沿って時計回りに漸次変化している。
【００３７】
図８は、図６及び７に示された第二スリット３２ｂに糸４が通される様子が示された説明図である。図８（ａ）、（ｃ）及び（ｅ）は、平面図である。図８（ｂ）、（ｄ）及び（ｆ）は、正面図である。図８（ａ）及び（ｂ）は初期段階を表しており、図８（ｃ）及び（ｄ）は中間段階を表しており、図８（ｅ）及び（ｆ）は最終段階を表している。
【００３８】
図８（ａ）から明らかなように、初期段階では、糸４は図中上下方向（第二リブ３０の延在方向と直交する方向）に延在している。図８（ｂ）から明らかなように、中間段階では、糸４はスリット３２の壁面に押され、上下方向に対して傾斜している。糸４は、折れ曲がっている。図８（ｃ）から明らかなように、最終段階では、糸４は上下方向に対して大きく傾斜している。糸４は、大幅に折れ曲がっている。この第二スリット３２ｂでは、糸４は、深さ方向に移動するに従い、時計回りに回転し、かつ折れ曲がる。この折れ曲がりにより、糸４と第二スリット３２ｂとの間の大きな摩擦力が達成される。この第二スリット３２ｂでは、糸４の通しやすさと確実な固定とが両立される。第一スリット３２ａ及び第三スリット３２ｃも、同様の効果を発揮する。
【産業上の利用可能性】
【００３９】
本発明に係るスプールは、種々の材質の釣り糸に適用されうる。
【図面の簡単な説明】
【００４０】
【図１】図１は、本発明の一実施形態に係る釣り糸用スプールが示された斜視図である。
【図２】図２は、図１のスプールが釣り糸と共に示された正面図である。
【図３】図３は、図１のスプールの第二リブが示された拡大図である。
【図４】図４は、本発明の他の実施形態に係る釣り糸用スプールの一部が示された正面図である。
【図５】図５は、本発明のさらに他の実施形態に係る釣り糸用スプールの一部が示された正面図である。
【図６】図６は、図５のスプールの一部が示された拡大図である。
【図７】図７（ａ）は図６のＡ−Ａ線に沿った断面図であり、図７（ｂ）は図６のＢ−Ｂ線に沿った断面図であり、図７（ｃ）は図６のＣ−Ｃ線に沿った断面図である。
【図８】図８は、図６及び７に示された第二スリットに糸が通される様子が示された説明図である。
【符号の説明】
【００４１】
２、２２、２８・・・スプール
４・・・糸
６・・・ハブ
８・・・胴
１０・・・リブ部
１２・・・フランジ
１６、２４、３０・・・リブ
１８・・・段差
２０、２６、３２・・・スリット
【図１】
2008011762.tif 000003
【図２】
2008011762.tif 000004
【図３】
2008011762.tif 000005
【図４】
2008011762.tif 000006
【図５】
2008011762.tif 000007
【図６】
2008011762.tif 000008
【図７】
2008011762.tif 000009
【図８】
2008011762.tif 000010